(57)【要約】【課題】  ユーザの嗜好情報を保持する情報処理端末において、ユーザの入力・変更を伴うことなく、情報管理装置で処理可能なコンテンツ以外のコンテンツからも嗜好情報を更新可能とする情報管理システム、情報管理方法、情報管理装置等を提供する。【解決手段】  ＲＦＩＤ１００の情報発信部１０１は、オブジェクト情報を移動情報処理端末２００に送信する。移動情報処理端末２００の情報着信部２０１は、オブジェクト情報を受信する。オブジェクト情報制御部２０２は、情報着信部２０１が受信したオブジェクト情報を嗜好情報管理部２０４に入力する。履歴情報記録部２０３は、情報着信部２０１がオブジェクト情報を受信する度に、その履歴を記録するとともに、この履歴情報を嗜好情報管理部２０４に入力する。嗜好情報管理部２０４は、入力されたオブジェクト情報と履歴情報を用いて、嗜好情報を生成・更新する。【選択図】        図１
2006059067.tif 000002
【特許請求の範囲】
【請求項１】
オブジェクトに対するユーザの嗜好を表す嗜好情報を管理する嗜好情報管理システムにおいて、
オブジェクトを特定する情報を送信する情報発信装置と、
ユーザに利用され、前記情報発信装置が送信したオブジェクトを特定する情報を受信する情報管理装置とを少なくとも一つずつ備え、
前記情報発信装置は、
オブジェクトを特定する情報を送信する情報発信部を備え、
前記情報管理装置は、
前記情報発信部が送信した情報を受信する情報着信部と、
前記情報着信部が受信した情報から特定されたオブジェクトの属性を示すオブジェクト情報を取得するオブジェクト情報制御部と、
前記情報着信部の情報の受信に関する履歴情報を記録する履歴情報記録部と、
前記オブジェクト情報制御部が取得したオブジェクト情報と前記履歴情報記録部が記録した履歴情報とを用いて、嗜好情報を生成及び更新する嗜好情報管理部とを備えることを特徴とする嗜好情報管理システム。
【請求項２】
前記情報発信装置は、さらに、
オブジェクト情報を格納するオブジェクト情報格納部を備え、
前記情報発信部は、
オブジェクトを特定する情報として、前記オブジェクト情報格納部に格納されたオブジェクト情報を送信することを特徴とする請求項１に記載の嗜好情報管理システム。
【請求項３】
前記嗜好情報管理システムは、さらに、
オブジェクト情報を格納するオブジェクト情報格納装置を少なくとも一つ備え、
前記情報発信装置は、さらに、
オブジェクトを一意的に特定する識別情報を格納する識別情報格納部を備え、
前記情報発信部は、
オブジェクトを特定する情報として、前記識別情報格納部に格納された識別情報を送信し、
前記オブジェクト情報格納装置は、
識別情報を受信する識別情報受信部と、
識別情報と当該識別情報に対応するオブジェクト情報とを格納するオブジェクト情報格納部と、
前記識別情報受信部が受信した識別情報に対応するオブジェクト情報を前記オブジェクト情報格納部から取得し、当該オブジェクト情報を送信するオブジェクト情報送信部とを備え、
前記情報管理装置は、さらに、
前記情報着信部が受信した識別情報を前記識別情報受信部に送信する識別情報送信部と、
前記オブジェクト情報送信部が送信したオブジェクト情報を受信するオブジェクト情報受信部とを備え、
前記オブジェクト情報制御部は、
前記情報着信部が受信した識別情報を前記識別情報送信部に入力し、前記オブジェクト情報受信部から出力されるオブジェクト情報を取得することを特徴とする請求項１に記載の嗜好情報管理システム。
【請求項４】
前記情報発信装置は、
無線電子タグ（ＲＦＩＤ）であり、
前記情報管理装置は、
少なくとも前記情報着信部を含む部位が無線リーダであることを特徴とする請求項２又は３に記載の嗜好情報管理システム。
【請求項５】
前記情報発信部は、
オブジェクトを特定する情報として、前記情報管理装置の現在地を特定する位置情報を送信し、
前記情報管理装置は、さらに、
オブジェクト情報を格納するオブジェクト情報格納部と、
オブジェクトの位置を特定する地図情報を格納する位置情報格納部とを備え、
前記オブジェクト情報制御部は、
前記情報着信部が受信した位置情報から現在地を測定し、前記位置情報格納部に格納された地図情報において現在地周辺に配置されたオブジェクトを検索し、検索されたオブジェクトの前記オブジェクト情報格納部に格納されたオブジェクト情報を取得することを特徴とする請求項１に記載の嗜好情報管理システム。
【請求項６】
前記嗜好情報管理システムは、さらに、
オブジェクトの位置を特定する地図情報を管理する位置情報格納装置を少なくとも一つ備え、
前記情報発信部は、
オブジェクトを特定する情報として、前記情報管理装置の現在地を特定する位置情報を送信し、
前記位置情報格納装置は、
位置情報を受信する位置情報受信部と、
オブジェクト情報を格納するオブジェクト情報格納部と、
地図情報を格納する位置情報格納部と、
前記位置情報受信部が受信した位置情報から前記情報管理装置の現在地を測定し、前記位置情報格納部に格納された地図情報において現在地周辺に配置されたオブジェクトを検索し、検索されたオブジェクトの前記オブジェクト情報格納部に格納されたオブジェクト情報を取得し、当該オブジェクト情報を送信するオブジェクト情報送信部とを備え、
前記情報管理装置は、さらに、
前記情報着信部が受信した位置情報を前記位置情報受信部に送信する位置情報送信部と、
前記オブジェクト情報送信部が送信したオブジェクト情報を受信するオブジェクト情報受信部とを備え、
前記オブジェクト情報制御部は、
前記情報着信部が受信した位置情報を前記位置情報送信部に入力し、前記オブジェクト情報受信部から出力されるオブジェクト情報を取得することを特徴とする請求項１に記載の嗜好情報管理システム。
【請求項７】
前記情報発信装置は、
全地球測位システム（ＧＰＳ）衛星であり、
前記情報管理装置は、
少なくとも前記情報着信部を含む部位がＧＰＳ受信機であることを特徴とする請求項５又は６に記載の嗜好情報管理システム。
【請求項８】
前記情報管理装置は、さらに、
嗜好情報を格納する嗜好情報格納部を備え、
前記嗜好情報管理部は、
嗜好情報を生成し、前記嗜好情報格納部に格納された嗜好情報を更新し、これらの嗜好情報を前記嗜好情報格納部に格納することを特徴とする請求項１から７いずれかに記載の嗜好情報管理システム。
【請求項９】
前記嗜好情報管理システムは、さらに、
嗜好情報を格納する嗜好情報格納装置を少なくとも一つ備え、
前記嗜好情報格納装置は、
嗜好情報を受信する嗜好情報受信部と、
前記嗜好情報受信部が受信した嗜好情報を格納する嗜好情報格納部と、
前記嗜好情報格納部に格納された嗜好情報を送信する嗜好情報送信部とを備え、
前記情報管理装置は、さらに、
前記嗜好情報送信部が送信した嗜好情報を受信するデータ受信部と、
前記嗜好情報受信部に対して嗜好情報を送信するデータ送信部とを備え、
前記嗜好情報管理部は、
嗜好情報を生成し、前記データ受信部から出力される嗜好情報を更新し、これらの嗜好情報を前記データ送信部に入力することを特徴とする請求項１から７いずれかに記載の嗜好情報管理システム。
【請求項１０】
前記情報管理装置は、さらに、
前記履歴情報記録部が記録した履歴情報を用いて、ユーザの嗜好情報の特性を示す嗜好レベルを算出する嗜好レベル算出部を備え、
前記嗜好情報管理部は、
生成及び更新する嗜好情報に、前記嗜好レベル算出部が算出した嗜好レベルを含めることを特徴とする請求項１から９いずれかに記載の嗜好情報管理システム。
【請求項１１】
前記履歴情報記録部は、
履歴情報として、前記情報着信部がオブジェクトを特定する情報の受信を開始した時刻と当該受信を終了した時刻とを受信ごとに記録することを特徴とする請求項１から１０いずれかに記載の嗜好情報管理システム。
【請求項１２】
前記履歴情報記録部は、
履歴情報として、前記情報着信部がオブジェクトを特定する情報の受信を開始してから終了するまでの時間を受信ごとに記録することを特徴とする請求項１から１０いずれかに記載の嗜好情報管理システム。
【請求項１３】
前記履歴情報記録部は、
履歴情報として、前記情報着信部がオブジェクトを特定する情報の受信を開始してから終了するまでの時間の累計をオブジェクトごとに記録することを特徴とする請求項１から１０いずれかに記載の嗜好情報管理システム。
【請求項１４】
前記履歴情報記録部は、
履歴情報として、前記情報着信部がオブジェクトを特定する情報の受信を終了した時刻と当該時刻及び前回当該オブジェクトを特定する情報の受信を終了した時刻の差である受信間隔とを受信ごとに記録することを特徴とする請求項１から１０いずれかに記載の嗜好情報管理システム。
【請求項１５】
前記情報管理装置は、さらに、
前記履歴情報記録部が、前記情報着信部がオブジェクトを特定する情報を受信した回数である受信頻度を計測する計測期間の設定値を格納する計測期間格納部を備え、
前記履歴情報記録部は、
履歴情報として、前記計測期間格納部に格納された計測期間内の受信頻度をオブジェクトごと及び計測期間ごとに記録することを特徴とする請求項１から１０いずれかに記載の嗜好情報管理システム。
【請求項１６】
前記履歴情報記録部は、
履歴情報として、前記情報着信部がオブジェクトを特定する情報を受信した回数の合計をオブジェクトごとに記録することを特徴とする請求項１から１０いずれかに記載の嗜好情報管理システム。
【請求項１７】
前記履歴情報記録部は、
履歴情報として、さらに、前記情報着信部がオブジェクトを特定する情報の受信を開始してから終了するまでの時間の平均をオブジェクトごとに記録することを特徴とする請求項１６に記載の嗜好情報管理システム。
【請求項１８】
前記履歴情報記録部は、
履歴情報として、さらに、前記情報着信部がオブジェクトを特定する情報の受信を開始してから終了するまでの時間の分散をオブジェクトごとに記録することを特徴とする請求項１７に記載の嗜好情報管理システム。
【請求項１９】
前記履歴情報記録部は、
履歴情報として、さらに、前記情報着信部がオブジェクトを特定する情報の受信を終了した時刻と当該時刻及び前回当該オブジェクトを特定する情報の受信を終了した時刻の差である受信間隔の平均とをオブジェクトごとに記録することを特徴とする請求項１６に記載の嗜好情報管理システム。
【請求項２０】
前記履歴情報記録部は、
履歴情報として、さらに、受信間隔の分散をオブジェクトごとに記録することを特徴とする請求項１９に記載の嗜好情報管理システム。
【請求項２１】
前記情報管理装置は、さらに、
前記履歴情報記録部が、前記情報着信部がオブジェクトを特定する情報を受信した回数である受信頻度を計測する計測期間の設定値を格納する計測期間格納部を備え、
前記履歴情報記録部は、
履歴情報として、さらに、前記計測期間格納部に格納された計測期間内の受信頻度の平均をオブジェクトごとに記録することを特徴とする請求項１６に記載の嗜好情報管理システム。
【請求項２２】
前記履歴情報記録部は、
履歴情報として、さらに、前記計測期間格納部に格納された計測期間内の受信頻度の分散をオブジェクトごとに記録することを特徴とする請求項２１に記載の嗜好情報管理システム。
【請求項２３】
前記情報管理装置は、さらに、
オブジェクトごとに計測期間を設定し、当該設定値を前記計測期間格納部に格納する計測期間設定部を備えることを特徴とする請求項１５、２１又は２２に記載の嗜好情報管理システム。
【請求項２４】
前記計測期間設定部は、
全てのオブジェクトに共通の計測期間を設定することを特徴とする請求項２３に記載の嗜好情報管理システム。
【請求項２５】
前記情報管理装置は、さらに、
前記履歴情報記録部が記録する履歴情報のデータ量を制限する閾値を格納する閾値格納部を備え、
前記履歴情報記録部は、
履歴情報のデータ量が前記閾値格納部に格納された閾値を超えた場合、当該履歴情報のうち最も古いデータを削除することを特徴とする請求項１１、１２又は１４に記載の嗜好情報管理システム。
【請求項２６】
前記情報管理装置は、さらに、
閾値を設定し、当該設定値を前記閾値格納部に格納する閾値設定部を備えることを特徴とする請求項２５に記載の嗜好情報管理システム。
【請求項２７】
オブジェクトを特定する情報を送信する情報発信装置と通信を行い、オブジェクトに対するユーザの嗜好を表す嗜好情報を管理する嗜好情報管理装置において、
前記情報発信装置が送信した情報を受信する情報着信部と、
前記情報着信部が受信した情報から特定されたオブジェクトの属性を示すオブジェクト情報を取得するオブジェクト情報制御部と、
前記情報着信部の情報の受信に関する履歴情報を記録する履歴情報記録部と、
前記オブジェクト情報制御部が取得したオブジェクト情報と前記履歴情報記録部が記録した履歴情報とを用いて、嗜好情報を生成及び更新する嗜好情報管理部とを備えることを特徴とする嗜好情報管理装置。
【請求項２８】
オブジェクトを特定する情報を送信する情報発信装置と通信を行い、オブジェクトに対するユーザの嗜好を表す嗜好情報を管理する嗜好情報管理装置の嗜好情報管理方法において、
前記情報発信装置が送信した情報を受信する情報着信工程と、
前記情報着信工程で受信した情報から特定されたオブジェクトの属性を示すオブジェクト情報を取得するオブジェクト情報制御工程と、
前記情報着信工程の情報の受信に関する履歴情報を記録する履歴情報記録工程と、
前記オブジェクト情報制御工程で取得したオブジェクト情報と前記履歴情報記録工程で記録した履歴情報とを用いて、嗜好情報を生成及び更新する嗜好情報管理工程とを備えることを特徴とする嗜好情報管理方法。
【請求項２９】
オブジェクトを特定する情報を送信する情報発信装置と通信を行い、オブジェクトに対するユーザの嗜好を表す嗜好情報を管理する嗜好情報管理装置の嗜好情報管理プログラムにおいて、
前記情報発信装置が送信した情報を受信する情報着信処理と、
前記情報着信処理が受信した情報から特定されたオブジェクトの属性を示すオブジェクト情報を取得するオブジェクト情報制御処理と、
前記情報着信処理の情報の受信に関する履歴情報を記録する履歴情報記録処理と、
前記オブジェクト情報制御処理が取得したオブジェクト情報と前記履歴情報記録処理が記録した履歴情報とを用いて、嗜好情報を生成及び更新する嗜好情報管理処理とをコンピュータに実行させることを特徴とする嗜好情報管理プログラム。
【発明の詳細な説明】
【技術分野】
【０００１】
本発明は、嗜好情報管理システム及び嗜好情報管理装置及び嗜好情報管理方法及び嗜好情報管理プログラムに関するものである。
【背景技術】
【０００２】
近年、膨大なコンテンツの中からユーザの嗜好にあったものを取捨選択する情報管理サービスが注目されている。既に情報処理端末の内部もしくは外部のサーバ等でユーザの嗜好情報を生成・管理し、その嗜好情報に基づいてユーザに提示する情報の取捨選択を行うシステム及び装置が提供されている。
【０００３】
例えば、メールマガジン等であれば、ユーザがメールマガジンに登録する際に、取得したい情報のカテゴリを一覧から選択し、その情報を嗜好情報としてメールマガジンのサーバに登録する。そして、メールマガジンのサーバは、メールマガジンの内容をユーザ毎にカスタマイズし、登録した嗜好情報に関連する情報のみを送信する。これにより、無駄な通信処理を減らしたり、ユーザにとって興味のない情報を送信せずに済んだりと、処理の効率化が可能となる。
【０００４】
しかし、上記のような方法では、ユーザの嗜好が変化した場合に、ユーザが再度カテゴリを選択しなおさなければ嗜好情報が変化することは無いため、そのたびにユーザが登録変更処理を行わなければならないという問題点がある。
【０００５】
この問題を解決するために、特許文献１では、ユーザの情報処理端末にユーザの嗜好情報が格納されており、情報処理端末が処理するコンテンツにはコンテンツメタ情報が設定されている。ユーザがあるコンテンツを操作した時に、その操作の内容と操作したコンテンツのコンテンツメタ情報によってユーザの嗜好情報が自動的に更新される。例えば、ユーザがすぐに破棄したコンテンツがあった場合、そのコンテンツが持つコンテンツメタ情報の嗜好レベルを下げる。逆に、最後まで鑑賞されたコンテンツがあった場合、そのコンテンツが持つコンテンツメタ情報の嗜好レベルを上げる。この方法により、それぞれのコンテンツに対するユーザの嗜好の特性を測ることが可能である。
【０００６】
また、近年無線電子タグ（ＲＦＩＤ）を初めとして微細でありながら情報を発信できる技術が発展してきており、あらゆるものから様々な情報を取得することが可能なユビキタス社会が実現されようとしている。
【特許文献１】特開２００４−０５４７６８号公報
【発明の開示】
【発明が解決しようとする課題】
【０００７】
上述の方法では情報処理端末内に保持されたコンテンツをユーザが情報処理端末を介して操作しなければ、嗜好情報が更新されることはない。
【０００８】
ところが、日常生活では、上記のように情報処理端末で格納、操作等の処理ができるコンテンツ以外にも、雑誌・書籍、衣類、食料品といったユーザの嗜好情報に大きく関連するコンテンツが存在する。これらは多岐にわたり、むしろ情報処理端末で処理できるコンテンツと比べると処理できないコンテンツの方が非常に多い。
【０００９】
つまり、従来技術では、情報処理端末で処理可能なコンテンツという限定的な範囲でしか嗜好情報の更新がされない。
【００１０】
本発明の目的は、ユーザの嗜好情報を保持する情報処理端末（以下、情報管理装置）において、ユーザの入力・変更を伴うことなく、情報管理装置で処理可能なコンテンツ以外のコンテンツ（以下、オブジェクト）からも嗜好情報を更新可能とする情報管理システム、情報管理方法、情報管理装置等を提供することである。
【課題を解決するための手段】
【００１１】
本発明の嗜好情報管理システムは、
オブジェクトに対するユーザの嗜好を表す嗜好情報を管理する嗜好情報管理システムにおいて、
オブジェクトを特定する情報を送信する情報発信装置と、
ユーザに利用され、前記情報発信装置が送信したオブジェクトを特定する情報を受信する情報管理装置とを少なくとも一つずつ備え、
前記情報発信装置は、
オブジェクトを特定する情報を送信する情報発信部を備え、
前記情報管理装置は、
前記情報発信部が送信した情報を受信する情報着信部と、
前記情報着信部が受信した情報から特定されたオブジェクトの属性を示すオブジェクト情報を取得するオブジェクト情報制御部と、
前記情報着信部の情報の受信に関する履歴情報を記録する履歴情報記録部と、
前記オブジェクト情報制御部が取得したオブジェクト情報と前記履歴情報記録部が記録した履歴情報とを用いて、嗜好情報を生成及び更新する嗜好情報管理部とを備えることを特徴とする。
【発明の効果】
【００１２】
本発明により、限定されたコンテンツのみでなく、様々なオブジェクトから情報を収集し、ユーザの嗜好情報を効果的に管理する情報管理システム、情報管理方法、情報管理装置等を提供することが可能となる。
【発明を実施するための最良の形態】
【００１３】
以下、本発明の実施の形態について説明する。なお、下記実施の形態１から５では、各実施の形態に係る情報管理装置としてＰＤＡ（Ｐｅｒｓｏｎａｌ  Ｄｉｇｉｔａｌ  Ａｓｓｉｓｔａｎｔ）等の移動情報処理端末を例に説明するが、携帯電話機、ＰＣ（パーソナルコンピュータ）など、他の電子機器にも適用可能である。
【００１４】
下記の各実施の形態では、オブジェクトに関するオブジェクトメタ情報（以下、メタ情報）を持ち、近傍に存在する移動情報処理端末に対してメタ情報を含むオブジェクト情報を送信する情報発信装置（以下、オブジェクト情報発信装置）が、社会に存在するオブジェクトに付加されているとする。メタ情報及びオブジェクト情報の具体的な内容については、後述する。
【００１５】
ここでいうオブジェクトとは、世の中に存在する全ての物体を指しており、人口物であれば、例えば電柱、壁、建物、日用品、衣料品、家具、家電、電子機器、通信機器、書籍、文具、ＣＤ（コンパクトディスク）、ＤＶＤ（Ｄｉｇｉｔａｌ  Ｖｅｒｓａｔｉｌｅ  Ｄｉｓｋ）、その他お店の商品等、自然物であれば、例えば、土地、植物、生物等が考えられる。
【００１６】
また移動情報処理端末は近傍に存在するオブジェクトに付加されているオブジェクト情報発信装置からオブジェクト情報を受信することによって、近傍に存在するオブジェクトがどのようなものであるかを記述した情報を取得、破棄、保存、処理することが可能である。近傍に存在するオブジェクト情報発信装置が複数ある場合でも、同時に並行してそれぞれの発信するオブジェクト情報を受信することが可能である。
【００１７】
以下では各実施の形態における具体的な嗜好情報の概念について説明する。
【００１８】
人は日常生活において様々な物体と接しながら生活を営んでいる。例えば、朝起きた直後を考えると、人は台所に行き、朝食を準備するためにパンを取り、トースターにパンを入れ焼く。その間に、牛乳を冷蔵庫から取り出し、コップに牛乳を注ぎ、食卓の上に置く。また、卵をフライパンの上に割って卵焼きを作る。トースターの中でパンが焼けたら、トースターからパンを取り出し、皿の上にパンと卵焼きをのせる。食卓に移動して食事を開始する。
【００１９】
この間に、この人は少なくともパン、トースター、牛乳、冷蔵庫、コップ、食卓、フライパン、皿に接していることになる。この行動を毎日ほぼ同じように繰り返し実施している場合には、毎日これらの物体と接していることになる。つまり、これらの物体とこの人との間にはある程度の関連性があるといえる。この関連性の度合を嗜好レベルと呼び、この例ではこの人のこれらの物体に対する嗜好レベルは高いといえる。
【００２０】
また、人は好む物体ばかりに接して日常生活を営んでいる訳ではなく、時には好まない物体とも接して日常生活を送っている。例えば、ＰＣとは全く関係ない業務内容の仕事に携わっている人であっても最近は効率化・情報化に伴いを業務中にＰＣを頻繁に使用することが多くなってきている。その場合、その人はＰＣが嫌いであったとしても、業務上使用せざるを得ない。上記のパンや牛乳といった潜在的にであっても本人が自発的に嗜好している物体と異なり、この場合のＰＣを本人は自発的に嗜好しているわけではない。しかし、その人が好む・好まざるに無関係にその人が営んでいる生活において、その人とそのＰＣとの関連性は高いことから、その人のＰＣに対する嗜好レベルは高いといえる。
【００２１】
従って、下記の各実施の形態において、嗜好とは、ある特定の人が意識的もしくは潜在的に嗜好していることだけを指すのではなく、その人の営んでいる生活自体が、その物体に接することを必要としていることも指している。そして、その人の生活において各オブジェクトがどれだけ必要とされているかの尺度を表すものとして嗜好レベルを定義し、その嗜好レベル及び嗜好レベルを算出するために必要な情報を集めた集合を嗜好情報と定義する。
【００２２】
人の生活との関連性を嗜好レベルとして考える視点において、そのオブジェクトに対する嗜好レベルを測る場合には、時間関係が重要な尺度となっている。つまり、その人と関連性のあるオブジェクトほど、頻繁に、もしくは長時間にわたり接していることが多い。例えば、前述した一番目の例では、この人が毎朝パンを食べる場合には、毎朝パンでなく米を食べる人と比べると、明らかにパンへの嗜好性が高いことになる。つまり、この場合にはパンに毎日接しているという、オブジェクトとの接近の頻度で嗜好レベルを考えることができる。
【００２３】
また、前述した二番目の例で、毎日仕事で長時間ＰＣを操作している人は、毎日就寝前にＰＣでメールを読み書きする人と比べると、日単位で考えた場合、頻度の点では同レベルといえる。しかし、一回にオブジェクトに接している時間の長さという観点で見ると、仕事でＰＣを操作している人の方がＰＣの嗜好レベルは高い。つまり、この場合にはオブジェクトに接している時間の長さで嗜好レベルを考えている。
【００２４】
以上より、人の日常生活において、長時間に渡り、その人と接近しているオブジェクトが存在した場合には、その人はそのオブジェクトを嗜好していると考えられる。また、定期的にその人と接近するオブジェクトが存在する場合や、ある一定期間内に頻繁に接するオブジェクトが存在する場合も、同様にその人はそのオブジェクトを嗜好していると考えられる。逆に殆どその人と接近していないオブジェクトや全く接近することが無いオブジェクトに関しては、その人の日常生活にほぼ無関係であると考えられる。下記の各実施の形態では、このような考え方に基づき、嗜好情報の生成・管理を行う。
【００２５】
実施の形態１．
図１は、本実施の形態に係る嗜好情報管理システムの構成を示すブロック図である。また、図２は、移動情報処理端末２００の動作を示すフロー図である。
【００２６】
ＲＦＩＤ（Ｒａｄｉｏ  Ｆｒｅｑｕｅｎｃｙ  ＩＤｅｎｔｉｆｉｃａｔｉｏｎ）１００は、オブジェクト情報発信装置の一例であり、情報発信部１０１とオブジェクト情報格納部１０２から構成される。ＲＦＩＤは、電子タグ又は無線タグとも呼ばれる微細な情報発信装置である。
【００２７】
移動情報処理端末２００は、情報管理装置の一例であり、情報着信部２０１、オブジェクト情報制御部２０２、履歴情報記録部２０３、嗜好情報管理部２０４、嗜好情報格納部２０５から構成される。
【００２８】
ＲＦＩＤ１００の情報発信部１０１は、アンテナと無線通信回路に実装され、不揮発性メモリであるオブジェクト情報格納部１０２に格納されたオブジェクト情報を移動情報処理端末２００に送信する。
【００２９】
移動情報処理端末２００の情報着信部２０１は、無線リーダ又は無線リーダの一部に実装され、ＲＦＩＤ１００の情報発信部１０１が送信したオブジェクト情報を受信する（Ｓ２０１）。オブジェクト情報制御部２０２は、情報着信部２０１が受信したオブジェクト情報を嗜好情報管理部２０４に入力する（Ｓ２０２）。また、履歴情報記録部２０３は、情報着信部２０１がオブジェクト情報を受信する度に、その履歴を記録するとともに、この履歴情報を嗜好情報管理部２０４に入力する（Ｓ２０３）。
【００３０】
嗜好情報管理部２０４は、入力されたオブジェクト情報と履歴情報を用いて、嗜好情報を生成し（Ｓ２０４）、不揮発性メモリである嗜好情報格納部２０５に格納する（Ｓ２０７）。ただし、嗜好情報格納部２０５にこの嗜好情報が対応するオブジェクトの嗜好情報が既に記憶されていた場合は、その嗜好情報を更新する（Ｓ２０５）。
【００３１】
履歴情報記録部２０３がオブジェクト情報の受信履歴を記録する方法、及び嗜好情報管理部２０４が嗜好情報を生成・更新する方法の詳細については、後述する。
【００３２】
図３は、本実施の形態に係る嗜好情報管理システムの利用例である。
【００３３】
ＲＦＩＤ１００は、書籍１０３、食料品１０４等のサイズが小さく日常的に使用される機会が多い物から、オフィス１０５、店１０６等のサイズが大きい物まで、様々なオブジェクトに付加される。図示していないが、他にも、公共の場所や、飛行機、電車、自動車等の乗り物や、電化製品、雑貨、消耗品、衣服、日用品、装飾品といった物に装着して使用される。
【００３４】
これらのオブジェクト情報発信装置は、移動情報処理端末２００と通信を行うことによって、オブジェクト情報発信装置が保持するオブジェクト情報を移動情報処理端末２００に送信する。しかし、全ての移動情報処理端末２００に対して情報を送信することができるわけではなく、例えばＲＦＩＤに実装されたオブジェクト情報発信装置からは、半径数センチメートルから数メートルの通信可能範囲内に位置する移動情報処理端末２００に対してのみオブジェクト情報を送信可能である。図３の移動情報処理端末２００Ａは、初めは、書籍１０３、食料品１０４、オフィス１０５、店１０６それぞれのオブジェクト情報発信装置の通信可能範囲に位置しており、それぞれのオブジェクト情報発信装置が送信するオブジェクト情報を受信している。しかし、移動後の移動情報処理端末２００Ｂは、書籍１０３以外のオブジェクトが備えるオブジェクト情報発信装置と通信可能な範囲の外に位置しているため、書籍１０３からしかオブジェクト情報を受信することができなくなっている。
【００３５】
つまり、オブジェクト情報発信装置それぞれが持つ通信可能範囲という限界があるために、移動情報処理端末２００がそのオブジェクト情報発信装置が付加されているオブジェクトに接近しているのかどうかを、そのオブジェクト情報発信装置と通信可能であるかどうかで判別することが可能となっている。
【００３６】
オブジェクト情報発信装置は、それが付加されているオブジェクトに関する情報を発信するが、その発信する情報は、オブジェクト情報発信装置が備える記憶領域に書き込まれている。情報の書き込みは、オブジェクト情報発信装置がオブジェクトに付加される前に予め行われてもよいし、あるいは、オブジェクト情報発信装置がオブジェクトに付加された後に行われてもよい。
【００３７】
情報を記憶領域に書き込む方法以外にも、オブジェクト情報発信装置に具備したセンサー等を用いて、そのオブジェクト情報発信装置が付加されたオブジェクトの状態等を計測し、最新の計測結果をオブジェクト情報として発信するといった形態が可能である。
【００３８】
例えば、オブジェクトの温度を計測するセンサーを保持しているオブジェクト情報発信装置の場合、そのオブジェクト情報発信装置の通信可能範囲に入ってきた移動情報処理端末２００に対して送信する情報は、そのオブジェクトの温度となる。
【００３９】
上記の一例として、牛乳パックにオブジェクト情報発信装置が付加されており、このオブジェクト情報発信装置が温度を計測できるとする。このオブジェクト情報発信装置の通信可能範囲に移動情報処理端末２００が入った時、牛乳パックの温度が８℃であれば、計測結果として８℃というメタ情報がオブジェクト情報に含まれて移動情報処理端末２００に送信される。
【００４０】
またこの場合において、センサーによる計測結果に加え、記憶領域に保持されているそのオブジェクトの静的メタ情報を組み合わせたオブジェクト情報を移動情報処理端末２００に送信してもよい。
【００４１】
ここで、メタ情報とは、オブジェクトに関する情報のことである。オブジェクト情報は、少なくともそのオブジェクトのメタ情報を含む。
【００４２】
以下では、ＲＦＩＤ１００が発信するオブジェクト情報の具体的な内容について説明する。
【００４３】
図４は、メタ情報の項目とＩＤの組み合わせの例である。
【００４４】
メタ情報には、例えば、大分類、中分類、小分類、名称、通称、製造元、製造者、販売元等、オブジェクトを分類する情報が、一つ以上含まれる。これらの項目全てに、図４に示すような一意的に識別可能な番号（ＩＤ）を定めることで、オブジェクト情報内のメタ情報に任意の項目に関するデータをランダムに並べて記述できる。
【００４５】
ＩＤを利用せずに、ＸＭＬ（ｅＸｔｅｎｓｉｂｌｅ  Ｍａｒｋｕｐ  Ｌａｎｇｕａｇｅ）等といった標準のタグ言語を用いて、メタ情報を記述する形態も可能である。
【００４６】
全ての項目に対する実データは基本的に任意の値を取ることが可能である。しかし、例えば、大分類、中分類、小分類等に関しては標準的な値を規定すると、この標準的な値を用いることによって、統一された分類規則に各オブジェクトを当てはめることが可能となる。そこで、本実施の形態では、オブジェクト情報に、メタ情報として、大分類、中分類は記述されていなければならない必須項目とする。その他の項目に関しては、必要に応じて記述することが可能な選択項目とし、最低でも必須項目の大分類、中分類によって、そのオブジェクトがどの分類に属しているのかを判別できるようにする。また、一つの項目について複数の値を指定することも可能とする。
【００４７】
図５は、ＩＤを利用したメタ情報の一例であり、オブジェクトとして「桜餅の情報学」という書籍のメタ情報を示している。この例では、図４に示した項目ＩＤを用いて、メタ情報を記述している。先頭には、記述されているメタ情報の項目数が記載され、その後に、項目ＩＤとその項目の実データの組が先頭に記述された項目数分連続して記載される。図５の例では、項目数が３であり、メタ情報として含まれている項目が大項目、中項目、製造元の順に並んでおり、それぞれの実データが書籍、数学・情報、桜餅出版となっている。
【００４８】
図６は、ＸＭＬで記述されたメタ情報の一例であり、図５と同様、オブジェクトとして「桜餅の情報学」という書籍のメタ情報を示している。タグ名が項目名を表しており、そのタグに囲まれた文字列がその項目の実データを表している。ここでタグ名が前述の項目名とは一致していないが、これは日本国内だけではなく海外でも利用可能とするために、タグ名は半角英数表記とし、ｏｂｊｅｃｔ−ｉｎｆｏをルートタグとし、その他ｃｌａｓｓ１は大分類、ｃｌａｓｓ２は中分類、ｃｌａｓｓ３は小分類、ｍａｋｅｒは製造元、ｎａｍｅは名称を表すタグとしている。
【００４９】
本実施の形態では、項目毎の受信に関連する時間情報を基にして、各項目に対する嗜好レベルの算出・管理を行っている。従って、図５又は図６の「桜餅の情報学」に関するメタ情報を含むオブジェクト情報を長時間受信し続けた場合には、「書籍」、「数学・情報」、「お菓子」、「料理情報学」、「桜餅出版」、「桜餅の情報学」に対応する嗜好レベルが増大することとなる。
【００５０】
以上までに説明したメタ情報に、ＲＦＩＤ１００と移動情報処理端末２００との間で通信を行うために必要なヘッダ情報等を付加したものがオブジェクト情報である。
【００５１】
以下では、ＲＦＩＤ１００と移動情報処理端末２００との間で通信可能、あるいは通信不可能な状況の具体例を説明する。
【００５２】
図７は、ＲＦＩＤ１００と移動情報処理端末２００Ｃとの間で通信が不可能な状態を示した図である。
【００５３】
ＲＦＩＤ１００は、半径Ｎセンチメートルの通信可能範囲を持っている。その付近には移動情報処理端末２００Ｃが存在しており、ＲＦＩＤ１００と移動情報処理端末２００Ｃとの距離はＭ１センチメートルである。ここで、Ｍ１はＮよりも大きいため、移動情報処理端末２００ＣはＲＦＩＤ１００の通信可能範囲の外側に存在する。つまり、移動情報処理端末２００Ｃは、ＲＦＩＤ１００の保持するオブジェクト情報を受信することができない状態にある。
【００５４】
図８は、ＲＦＩＤ１００と移動情報処理端末２００Ｄとの間で通信が可能な状態を示した図である。
【００５５】
ＲＦＩＤ１００は、半径Ｎセンチメートルの通信可能範囲を持っている。その付近には移動情報処理端末２００Ｄが存在しており、ＲＦＩＤ１００と移動情報処理端末２００Ｄとの距離はＭ２センチメートルである。ここで、Ｍ２はＮよりも小さいため、移動情報処理端末２００ＤはＲＦＩＤ１００の通信可能範囲の内側に存在する。つまり、移動情報処理端末２００Ｄは、ＲＦＩＤ１００の保持するオブジェクト情報を受信することができる状態にある。
【００５６】
図７及び図８の説明において、ＲＦＩＤ１００の通信可能範囲は一定の半径を持つ円として表現しているが、実際には障害物等によって電波が遮蔽される等の要因により、常に変動する不定形の領域となる。
【００５７】
以下では通信が可能な状態になった場合におけるＲＦＩＤ１００と移動情報処理端末２００とにおける通信処理の具体例を説明する。
【００５８】
まず、ＲＦＩＤ１００がアクティブ型である形態について説明する。
【００５９】
ＲＦＩＤ１００がアクティブ型の場合には、ＲＦＩＤ１００は定期的にオブジェクト情報を発信しており、その発した電波の到達範囲が通信可能範囲となる。ＲＦＩＤ１００がオブジェクト情報を発信した時、ちょうど通信可能範囲に存在する移動情報処理端末２００のみが、その情報を受信することが可能となり、そのオブジェクトの情報を取得することができる。この場合、移動情報処理端末２００は情報着信部２０１を待ち受け状態で動作させ、ＲＦＩＤ１００が発信したオブジェクト情報が受信されるのを待ち続ける。
【００６０】
図９は、アクティブ型ＲＦＩＤ１００がオブジェクト情報を発信した瞬間の通信状況を示した図である。
【００６１】
移動情報処理端末２００Ｅ、移動情報処理端末２００Ｆ、移動情報処理端末２００Ｇは、ＲＦＩＤ１００がオブジェクト情報を発信した瞬間に、ＲＦＩＤ１００の通信可能範囲内に位置している。そのため、これらの移動情報処理端末２００がそれぞれ備える待ち受け状態の情報着信部２０１は、ＲＦＩＤ１００が発信したオブジェクト情報を受信する。
【００６２】
一方で、移動情報処理端末２００Ｈ、移動情報処理端末２００Ｉ、移動情報処理端末２００Ｊは、ＲＦＩＤ１００がオブジェクト情報を発信した瞬間に、ＲＦＩＤ１００の通信可能範囲外に位置している。そのため、これらの移動情報処理端末２００がそれぞれ備える待ち受け状態の情報着信部２０１は、ＲＦＩＤ１００が発信したオブジェクト情報を受信できない。
【００６３】
次に、ＲＦＩＤ１００がパッシブ型である形態について説明する。
【００６４】
ＲＦＩＤ１００がパッシブ型の場合には、ＲＦＩＤ１００は通常は休眠状態であり、自ら情報を発信することは無い。そのため、アクティブ型とは逆に移動情報処理端末２００が常時、もしくは定期的に起動信号を発信している。パッシブ型のＲＦＩＤ１００が起動信号の届く範囲に入ると、その起動信号のエネルギーによって、ＲＦＩＤ１００に誘導起電力が生じ、ＲＦＩＤ１００の回路が作動し、通信が開始される。つまり、パッシブ型の通信可能範囲は移動情報処理端末２００が発信する起動信号の到達範囲となる。
【００６５】
図１０は、パッシブ型ＲＦＩＤ１００が移動情報処理端末２００の起動信号の通信可能範囲外にある状態を示した図である。また、図１１は、パッシブ型ＲＦＩＤ１００が移動情報処理端末２００の起動信号の通信可能範囲内にある状態を示した図である。図１２は、図１１の状態において、パッシブ型ＲＦＩＤ１００がオブジェクト情報を発信した瞬間の通信状況を示した図である。
【００６６】
移動情報処理端末２００Ｋが発信する起動信号がＲＦＩＤ１００まで到達していないため、この状態では移動情報処理端末２００ＫはＲＦＩＤ１００が保持するオブジェクト情報を受信できない。
【００６７】
しかし、図１１のようにＲＦＩＤ１００又は移動情報処理端末２００Ｌのどちらかが移動・接近することで、移動情報処理端末２００Ｌの発信する起動信号の通信可能範囲内にＲＦＩＤ１００が入ると、起動信号のエネルギーによる電磁誘導等の現象によってＲＦＩＤ１００に起電力が発生する。その起電力によってＲＦＩＤ１００の内部回路が起動し、図１２のように保持しているオブジェクト情報を発信し、移動情報処理端末２００Ｍまで伝達させる。
【００６８】
本実施の形態では、上記のような方法によって、ＲＦＩＤ１００が発信したオブジェクト情報を、近傍に存在する移動情報処理端末２００のみに伝達することができるようになっている。
【００６９】
以下では、本実施の形態において、移動情報処理端末２００の履歴情報記録部２０３がオブジェクト情報の受信履歴を記録する方法について説明する。
【００７０】
前述したように、本実施の形態では、移動情報処理端末２００がＲＦＩＤ１００を備えるオブジェクトにどれだけの時間接近しているかという接近時間を利用して嗜好情報を管理している。
【００７１】
この接近時間を計測するために、ＲＦＩＤ１００の発信する情報を、移動情報処理端末２００がどれだけの時間受信できたかを計測することとする。つまり、ＲＦＩＤ１００と移動情報処理端末２００との距離が通信可能範囲内にある連続時間を計測することとなる。
【００７２】
図１３は、ＲＦＩＤ１００と移動情報処理端末２００との間の距離を縦軸、時間経過を横軸にとった場合のグラフの一例である。
【００７３】
点線は通信可能範囲を示しており、ＲＦＩＤ１００と移動情報処理端末２００との間の距離が点線より下であれば、ＲＦＩＤ１００が発信しているオブジェクト情報を移動情報処理端末２００が受信できることを意味している。この例では時刻Ｔ１から時刻Ｔ２にかけて、距離が通信可能範囲内となっているため、Ｔ２−Ｔ１が接近時間である。
【００７４】
よって、移動情報処理端末２００があるオブジェクト情報の受信を開始してから、その受信が終了する（受信できなくなる）までの時間（以下、受信時間）を計測していればよいこととなる。
【００７５】
図１４は、移動情報処理端末２００がオブジェクト情報の受信時間の計測処理を行う動作を示すフロー図である。
【００７６】
通常、情報着信部２０１は、オブジェクト情報が受信できない状況の場合には、オブジェクト情報が受信できるまで待機状態にある。ただし、ＲＦＩＤ１００がパッシブ型の場合には、待機状態であっても定期的に起動信号を発信している。
【００７７】
情報着信部２０１において一種類以上のオブジェクト情報が受信できた場合には（Ｓ１４０１）、履歴情報記録部２０３は、それらのオブジェクト情報をまとめて現在受信オブジェクト情報リストを生成する（Ｓ１４０２）。そして、同一オブジェクトのオブジェクト情報が受信中オブジェクト情報リストに登録されているか検索する（Ｓ１４０３）。検索の結果、該当するオブジェクト情報が受信中オブジェクト情報リストに登録されていなかった場合には、そのオブジェクト情報は今回新規に受信が開始されたオブジェクト情報であるため、現在時刻を受信開始時刻とし、オブジェクト情報と受信開始時刻をペアとして受信中オブジェクト情報リストに新規登録する（Ｓ１４０４）。Ｓ１４０３の検索の結果、同一オブジェクトのオブジェクト情報が受信中オブジェクト情報リストに登録されていた場合には、何も行わない。
【００７８】
全ての受信オブジェクト情報に関して検索が完了すると、受信中オブジェクト情報リストと現在受信オブジェクト情報リストを比較し、受信中オブジェクト情報リストにはあるが、現在受信オブジェクト情報リストにはないオブジェクトのオブジェクト情報を検索する（Ｓ１４０５）。検索の結果、該当するオブジェクト情報が存在しなかった場合には、Ｓ１４０１の処理に移行する。もし該当するオブジェクト情報が存在した場合には、そのオブジェクト情報は受信できなくなったオブジェクト情報である。その場合には、現在時刻を受信終了時刻として、受信中オブジェクト情報リストにペアで登録されている受信開始時刻との差を計算し、受信時間を算出する（Ｓ１４０６）。そして、この受信時間を嗜好情報管理部２０４に通知する（Ｓ１４０７）。
【００７９】
嗜好情報管理部２０４は、履歴情報記録部２０３から入力された受信時間の値と、別途オブジェクト情報制御部２０２から入力されるオブジェクト情報に含まれるメタ情報から、各項目の嗜好情報を更新する（Ｓ１４０８）。
【００８０】
上記の説明中、現在受信オブジェクト情報リストや受信中オブジェクト情報リストにオブジェクト情報を登録するという場合、必ずしもオブジェクト情報そのものが登録されるわけではなく、どのオブジェクトのオブジェクト情報を受信しているかを特定できれば、どのような情報でも代用可能である。
【００８１】
次に、移動情報処理端末２００がオブジェクト情報の受信時間の計測処理を行う際に、受信中オブジェクト情報リストと現在受信オブジェクト情報リストがどのように生成・更新されるかを、具体例に基づいて説明する。
【００８２】
Ｓ１４０１において、情報着信部２０１がオブジェクトＢ、オブジェクトＣ、オブジェクトＤ、オブジェクトＥのオブジェクト情報を受信したとする。Ｓ１４０２において、履歴情報記録部２０３は、図１５のような現在受信オブジェクト情報リストを生成する。このとき、受信中オブジェクト情報リストには、図１５のようにオブジェクトＡ、オブジェクトＢ、オブジェクトＣ、オブジェクトＤのオブジェクト情報が登録されているとする。
【００８３】
続いて、Ｓ１４０３で、受信中オブジェクト情報リストと現在受信オブジェクト情報リストを比較し、現在受信オブジェクト情報リストにしか存在しないオブジェクト情報を検索する。この例では、オブジェクトＥに関するオブジェクト情報が受信中オブジェクト情報リストには存在しないため、Ｓ１４０４において、現在時刻とオブジェクトＥに関するオブジェクト情報をペアとして、図１６のように受信中オブジェクト情報リストに追加する。
【００８４】
さらに、Ｓ１４０５で、受信中オブジェクト情報リストと現在受信オブジェクト情報リストを比較し、受信中オブジェクト情報リストのみに存在するオブジェクト情報の検索を行う。この例では、オブジェクトＡに関するオブジェクト情報が受信中オブジェクト情報リストのみに存在するため、Ｓ１４０６において、図１７のように受信中オブジェクト情報リストからオブジェクトＡに関するオブジェクト情報を取り除く。このとき、現在時刻を受信終了時刻として、オブジェクトＡに関するオブジェクト情報の受信時間を求める。この例では、受信開始時刻が２００４／０１／２３−１３：４５：２６で、現在時刻が２００４／０１／２３−１３：５４：２５であるため、受信時間は０／０／０−０：８：５９となる。この数値は、Ｓ１４０８において、嗜好情報管理部２０４に通知される。
【００８５】
次に、本実施の形態において、移動情報処理端末２００の嗜好情報管理部２０４が嗜好情報を生成・更新する方法について説明する。
【００８６】
図１８は、移動情報処理端末２００の嗜好情報管理部２０４が嗜好情報の生成・更新処理を行う動作を示すフロー図である。
【００８７】
嗜好情報管理部２０４は、情報着信部２０１が受信したオブジェクト情報をオブジェクト情報制御部２０２から受け取る（Ｓ１８０１）。そして、受け取ったオブジェクト情報からメタ情報を取得する（Ｓ１８０２）。
【００８８】
続いて、嗜好情報管理部２０４は、メタ情報の先頭から順番に項目名を取得する（Ｓ１８０３）。例えば、図５のメタ情報では、ｃｌａｓｓ１タグが先頭であり、最初に取得する項目名は大分類となる。項目名を取得すると、次にその項目名が嗜好情報リストの項目名列に存在するかどうか検索する（Ｓ１８０４）。
【００８９】
ここで、嗜好情報リストとは、メタ情報の項目（メタ項目）と、各メタ項目に対応する履歴情報を含む表であり、嗜好情報格納部２０５に記憶される。メタ項目の列には、項目名と実データ欄が存在し、一つの項目名に対して一つ以上の実データ欄が対応する。一つの実データ欄には、一つの履歴情報のデータが対応する。図１９の例のように、本実施の形態では、履歴情報としてオブジェクト情報の総受信時間を用いている。総受信時間とは、履歴情報記録部２０３が算出するオブジェクト情報の受信時間の累計である。
【００９０】
図１９の例は、大分類として実データが「書籍」と記述されたメタ情報を持つオブジェクト情報を、嗜好情報の管理を開始してから現時点までに１２日と１５時間２３分５４秒間受信したことを示している。その他の項目に関しても同様に総受信時間が記述されている。総受信時間の長さが各メタ項目の実データの嗜好レベルとして取り扱われる。
【００９１】
Ｓ１８０４の検索の結果、取得した項目名が嗜好情報リストの項目名列に存在していない場合には、対応する項目名に関する情報を記述できるように、項目名領域を嗜好情報リストに追加し、保持する（Ｓ１８０５）。既に該当する項目名が存在していた場合には、その項目名に関する領域を保持する。
【００９２】
嗜好情報管理部２０４は、次に、メタ情報から各項目に対する実データを取得する（Ｓ１８０６）。そして、取得した実データが、嗜好情報リスト内で保持した項目名に関する領域の中に存在するかどうか検索する（Ｓ１８０７）。
【００９３】
検索の結果、取得した実データが嗜好情報リストの実データ欄に存在していない場合には、実データ用の領域を嗜好情報リストに追加し、保持する（Ｓ１８０８）。この際に新規領域の総受信時間は０秒とする。既に該当する実データが存在していた場合には、その実データの領域を保持する。
【００９４】
嗜好情報管理部２０４は、履歴情報記録部２０３において受信時間が確定したオブジェクト情報がある場合には、その受信時間の値を受け取る（Ｓ１８０９）。そして、この受信時間の数値を、嗜好情報リスト内で保持した実データの領域にある総受信時間に加算する（Ｓ１８１０）。
【００９５】
以上の処理は、メタ情報に記述されている各項目について行われる。
【００９６】
次に、移動情報処理端末２００の嗜好情報管理部２０４が嗜好情報の生成・更新処理を行う際に、嗜好情報リストがどのように更新されるかを、具体例に基づいて説明する。
【００９７】
Ｓ１８０１の直前において、嗜好情報リストの内容が図１９に示された通りであるとする。また、Ｓ１８０２において、嗜好情報管理部２０４は、図５に示されたメタ情報をオブジェクト情報から取得したとする。
【００９８】
Ｓ１８０３において、メタ情報に含まれている項目名、「大分類」「中分類」「小分類」「製造元」「名称」を取得する。このとき、嗜好情報リストには「小分類」、「名称」に関する領域がないため、図２０のようにこれらの領域を新規追加する。
【００９９】
Ｓ１８０６において、各項目名に対する実データを取得する。「大分類」には「書籍」、「中分類」には「数学・情報」、「お菓子」、「小分類」には「料理情報学」、「製造元」には「桜餅出版」、「名称」には「桜餅の情報学」が記載されているが、嗜好情報リストには、「中分類」の「数学・情報」、「小分類」の「料理情報学」、「製造元」の「桜餅出版」、「名称」の「桜餅の情報学」が存在していない。そこで、図２１のようにそれぞれの領域を新規追加する。
【０１００】
Ｓ１８０９において、履歴情報記録部２０３から受け取った受信時間が０／０／０−０：８：５９であるとすると、図２２のようにそれぞれの実データに対応する総受信時間に０／０／０−０：８：５９を加算して、処理を終了する。
【０１０１】
以上のように、本実施の形態により、限定されたコンテンツのみでなく、様々なオブジェクトから情報を収集し、ユーザの嗜好情報を効果的に管理する情報管理システム、情報管理方法、情報管理装置等を提供することが可能となる。また、本実施の形態では、膨大な数のオブジェクトからオブジェクト情報を収集する場合でも、オブジェクト情報の受信時間と総受信時間の和を嗜好レベルとして用いるため、それぞれのメタ項目に要する計算処理時間が短く済むという利点がある。
【０１０２】
本実施の形態では、受信時間を計測するために、常時オブジェクト情報が受信できているか監視しているが、移動情報処理端末２００が定期的にオブジェクト情報を受信できているか確認することで受信時間を近似的に計測する方法を用いてもよい。この方法を用いると、移動情報処理端末２００が無線通信に必要とする電力消費を抑えることができる。また、オブジェクト情報が受信できない時は受信間隔を長くし、ひとたびオブジェクト情報が受信できた場合には受信間隔を短くする等といった方法も有効である。
【０１０３】
また、本実施の形態では、嗜好情報に含まれる嗜好レベルとして、オブジェクト情報の受信開始時刻と受信終了時刻との差である受信時間を累計した総受信時間を用いているが、オブジェクト情報の受信開始時刻と受信終了時刻をそのまま履歴情報として扱う方法も可能である。
【０１０４】
この場合、ユーザが各オブジェクトに対して接近を開始する時間や終了する時間の履歴を保持することで、ユーザの傾向や複数のオブジェクトの相関関係等、総受信時間のようにオブジェクト情報ごとに一つしかない数値からでは判別できない情報を取得することが可能になる。例えば、ある人が実データ「電車」に対して接近する時間がほぼ毎朝８時１４分であるということが分かると、その人は日常的に８時１４分に電車に接近すること（もしくは利用すること）を嗜好していると判断することができる。
【０１０５】
このような方法を実現するには、本実施の形態の嗜好情報リストにおいて、総受信時間の代わりに、各実データに対応する受信開始時刻と受信終了時刻を複数格納するための領域を設ける等の変更が必要である。
【０１０６】
また、本実施の形態において、嗜好レベルとして用いているオブジェクト情報の受信時間を累計した総受信時間に代えて、オブジェクト情報の受信時間を受信する度に別々に保存する方法も可能である。
【０１０７】
この場合、長期にわたって嗜好情報を保持した場合に、受信時間の数値が桁あふれしてしまう可能性を低減する効果がある。
【０１０８】
このような方法を実現するには、本実施の形態の嗜好情報リストにおいて、各実データに対応する受信時間を複数格納するための領域を設ける等の変更が必要である。
【０１０９】
また、本実施の形態において、嗜好レベルとして用いているオブジェクト情報の受信時間を累計した総受信時間に代えて、オブジェクト情報の受信回数を累計した総受信回数を記録する方法も可能である。
【０１１０】
この場合、オブジェクト情報の受信ごとに時刻を記録する必要がなくなり、履歴情報記録部２０３は毎回オブジェクト情報を受信したことだけを嗜好情報管理部２０４に通知すればよいため、処理が簡易になる。嗜好情報のデータ量は増えるが、長期にわたって嗜好情報を保持した場合に、受信時間の数値が桁あふれしてしまう可能性を低減する効果がある。
【０１１１】
このような方法を実現するには、本実施の形態の嗜好情報リストにおいて、各実データに対応する総受信時間を格納していた領域を、総受信回数を格納するために整数型のデータ形式にする等の変更が必要である。
【０１１２】
また、オブジェクト情報の受信回数に加えて、オブジェクト情報の平均受信時間を、嗜好レベルとして用いる方法も可能である。
【０１１３】
この場合、平均値を使用するため、総受信時間を用いる場合と比べて、長期にわたって嗜好情報を保持した場合に、受信時間の数値が桁あふれしてしまう可能性を低減する効果がある。
【０１１４】
このような方法を実現するには、本実施の形態の嗜好情報リストにおいて、各実データに対応する受信回数を格納するための領域とともに、平均受信時間を格納するための領域を設ける等の変更が必要である。嗜好情報の更新の際には、嗜好情報管理部２０４は、メタ情報の項目ごとに、履歴情報記録部２０３から受け取った受信時間の数値を、嗜好情報リスト内の該当する項目の平均受信時間と受信回数との積に加算し、その値をさらに受信回数に１を加えた値で除する。受信回数に１を加えた値は最新の受信回数として、また、商は最新の平均受信時間として嗜好情報リストに格納される。
【０１１５】
また、オブジェクト情報の受信回数と平均受信時間に加えて、オブジェクト情報の受信時間の分散を、嗜好レベルとして用いる方法も可能である。
【０１１６】
この場合、ユーザのオブジェクトに対する接近に関して、平均受信時間だけでは判別できない値のばらつきを知ることができ、これを嗜好レベルに反映させることができる。例えば、分散が低い実データに対しては、安定した嗜好傾向が認められるが、分散が高い場合には不安定な嗜好傾向が認められるため、嗜好レベルを分散が低い実データよりも低く算出する等の処理が可能となる。
【０１１７】
また、本実施の形態において、嗜好レベルとして用いているオブジェクト情報の受信時間を累計した総受信時間に代えて、オブジェクト情報を前回受信してから、今回受信するまでにどれだけの時間が経過しているかという記録（受信間隔）を扱う方法も可能である。ここで、受信間隔を求めるにあたっては、前回の受信終了時刻を保持しておく必要がある。
【０１１８】
この場合、受信間隔を嗜好情報に加えることによって、受信時間だけでは判別のできない、前回受信時と今回受信時の関連性を嗜好情報に反映させることが可能となる。例えば、二つの実データに対して同じ受信時間である場合、受信時間だけを尺度として嗜好情報を考えると、同じ嗜好レベルであるが、一方は前日に受信したばかりであり、他方は一年ぶりの場合には、前日に受信した実データの嗜好レベルを上げる等の処理を追加することができる。また、前回の受信終了時刻から現在の時刻が長期間に渡っている場合には、その時間間隔の逆数を嗜好レベルに反映することで、嗜好レベルを下げることが可能となる。従って、昔は関連があったが今は関連がなくなったものに対する嗜好レベルを低く設定する等、より現実に即した処理が可能となる。
【０１１９】
このような方法を実現するには、本実施の形態の嗜好情報リストにおいて、各実データに対応する受信間隔と前回の受信終了時刻を格納するための領域を設ける等の変更が必要である。嗜好情報の更新の際には、嗜好情報管理部２０４は、メタ情報の項目ごとに、履歴情報記録部２０３から受け取った受信終了時刻と嗜好情報リスト内の該当する項目の受信終了時刻との差を求め、これを最新の受信間隔として嗜好情報リストに格納する。また、履歴情報記録部２０３から受け取った受信終了時刻を、嗜好情報リストに格納する。
【０１２０】
前述した受信時間の平均、分散を扱う場合と同様、受信間隔の平均、受信間隔の分散を扱う方法も可能である。
【０１２１】
実施の形態２．
図２３は、本実施の形態に係る嗜好情報管理システムの構成を示すブロック図である。
【０１２２】
ＲＦＩＤ１００は、オブジェクト情報発信装置の一例であり、情報発信部１０１とオブジェクト情報格納部１０２から構成される。
【０１２３】
移動情報処理端末２００は、情報管理装置の一例であり、情報着信部２０１、オブジェクト情報制御部２０２、履歴情報記録部２０３、嗜好情報管理部２０４、嗜好情報格納部２０５、嗜好レベル算出部２０６、計測期間格納部２０７、計測期間設定部２０８から構成される。
【０１２４】
ＲＦＩＤ１００の情報発信部１０１は、アンテナと無線通信回路に実装され、不揮発性メモリであるオブジェクト情報格納部１０２に格納されたオブジェクト情報を移動情報処理端末２００に送信する。
【０１２５】
移動情報処理端末２００の情報着信部２０１は、無線リーダ又は無線リーダの一部に実装され、ＲＦＩＤ１００の情報発信部１０１が送信したオブジェクト情報を受信する。オブジェクト情報制御部２０２は、情報着信部２０１が受信したオブジェクト情報を嗜好情報管理部２０４に入力する。また、履歴情報記録部２０３は、情報着信部２０１がオブジェクト情報を受信する度に、その履歴を記録するとともに、この履歴情報を嗜好情報管理部２０４に入力する。
【０１２６】
嗜好情報管理部２０４は、入力されたオブジェクト情報と履歴情報を用いて、嗜好情報を生成し、不揮発性メモリである嗜好情報格納部２０５に格納する。ただし、嗜好情報格納部２０５にこの嗜好情報が対応するオブジェクトの嗜好情報が既に記憶されていた場合は、その嗜好情報を更新する。嗜好レベル算出部２０６は、嗜好情報管理部２０４が嗜好情報を生成・更新する際に、その嗜好情報に含まれる嗜好レベルの算出を行う。
【０１２７】
履歴情報記録部２０３が、情報着信部２０１がオブジェクト情報を受信した回数をオブジェクトごとに記録する場合、その回数をカウントする期間は予め設定され、計測期間格納部２０７に記憶されている。計測期間格納部２０７は、不揮発性メモリに実装される。計測期間設定部２０８は、計測期間格納部２０７に格納された設定値の更新を行う。
【０１２８】
本実施の形態において、ＲＦＩＤ１００は、実施の形態１と同様の機能を持つ。一方、移動情報処理端末２００は、嗜好レベル算出部２０６、計測期間格納部２０７、計測期間設定部２０８と、これらの各部の機能に関連する部分に差異がある。ただし、その他の部分については、実施の形態１と同様とする。
【０１２９】
実施の形態１では、嗜好情報に含まれる嗜好レベルとして、オブジェクト情報の受信開始時刻と受信終了時刻との差である受信時間を累計した総受信時間を用いているが、本実施の形態では、ある一定期間にオブジェクト情報を何度受信しているかという受信頻度を用いる。メタ情報の全ての項目で計測する期間を一定とするのであれば、計測期間格納部２０７に、その計測期間を記憶させる。一方、計測期間設定部２０８が各項目で計測する期間を変更することを可能とする場合、計測期間格納部２０７には、項目ごとの計測期間を記録する領域が必要となる。実施の形態１で説明した嗜好情報リストには、総受信時間の代わりに、項目ごとの計測開始時刻と、計測期間中にオブジェクト情報が受信された回数を記録する。
【０１３０】
このように、受信頻度を嗜好情報に加えることによって、受信時間や受信間隔だけでは判別のできない、オブジェクトに対する断続的な関連性の度合を嗜好レベルに反映させることが可能となる。例えば、二つの実データに対して同じ受信時間、同じ受信間隔である場合、受信時間及び受信間隔だけを尺度として嗜好レベルを考えると、同じ嗜好レベルとなる。しかし、一方は一ヶ月間に１００回受信しているが他方は１回である場合には、１００回受信している方が、１回受信しているよりも嗜好レベルを高く設定することが可能となる。
【０１３１】
また、実施の形態１では、嗜好情報管理部２０４が、履歴情報記録部２０３が記録する受信時間と、嗜好情報格納部２０５が格納する総受信時間を単純に合計して、嗜好レベルを求めていた。一方、本実施の形態では、移動情報処理端末２００は、より複雑な計算により嗜好レベルを求めることが可能な嗜好レベル算出部２０６を有する。
【０１３２】
例えば、嗜好情報として受信時間の履歴を用いる場合、嗜好レベル算出部２０６は、次式（１）のような、嗜好レベルαを算出するための計算式を実装する。
【０１３３】
【数１】
2006059067.tif 000003
【０１３４】
また、より複雑な計算式としては、例えば、次式（２）を使用することが可能である。
【０１３５】
【数２】
2006059067.tif 000004
【０１３６】
ここでは、前回までの嗜好レベルを基に最新の嗜好レベルを算出している。式（２）において、ｘは今回計測された受信時間、ｙは前回の受信と今回の受信との時間間隔、ｚは２４時間内の受信頻度、ｆｘｚはｘとｚの値に応じて重み付けを変更する関数、ｆｙはｙの値に応じて重み付けを変更する関数である。式（２）は、受信時間ｘと受信頻度ｚの値に比例して嗜好レベルの上昇値を増やし、時間間隔ｙの値に比例して嗜好レベルの上昇値が減らされるように設計されている。
【０１３７】
このように、本実施の形態では、移動情報処理端末２００が嗜好レベル算出部２０６を備えることにより、嗜好レベルを求める際に用いるデータが複数存在する、データのサイズが大きい、データの組み合わせが複雑であるといった場合にも、それぞれのデータを効率的に嗜好レベルのデータへと変換することが可能である。
【０１３８】
実施の形態３．
【０１３９】
図２４は、本実施の形態に係る嗜好情報管理システムの構成を示すブロック図である。
【０１４０】
ＲＦＩＤ１００は、オブジェクト情報発信装置の一例であり、情報発信部１０１と識別情報格納部１０７から構成される。
【０１４１】
移動情報処理端末２００は、情報管理装置の一例であり、情報着信部２０１、オブジェクト情報制御部２０２、履歴情報記録部２０３、嗜好情報管理部２０４、嗜好情報格納部２０５、嗜好レベル算出部２０６、識別情報送信部２０９、オブジェクト情報受信部２１０、閾値格納部２１１、閾値設定部２１２から構成される。
【０１４２】
オブジェクト情報管理サーバ３００は、オブジェクト情報格納装置の一例であり、識別情報受信部３０１、オブジェクト情報格納部３０２、オブジェクト情報送信部３０３から構成される。
【０１４３】
移動情報処理端末２００とオブジェクト情報管理サーバ３００は、例えばインターネットに接続され、お互いに通信を行うことができる。
【０１４４】
ＲＦＩＤ１００の情報発信部１０１は、アンテナと無線通信回路に実装され、不揮発性メモリである識別情報格納部１０７に格納されたオブジェクトを一意的に特定する識別情報を移動情報処理端末２００に送信する。
【０１４５】
移動情報処理端末２００の情報着信部２０１は、無線リーダ又は無線リーダの一部に実装され、ＲＦＩＤ１００の情報発信部１０１が送信した識別情報を受信する。オブジェクト情報制御部２０２は、情報着信部２０１が受信した識別情報を識別情報送信部２０９に入力する。識別情報送信部２０９は、入力された識別情報をオブジェクト情報管理サーバ３００に送信する。
【０１４６】
オブジェクト情報管理サーバ３００の識別情報受信部３０１は、移動情報処理端末２００の識別情報送信部２０９が送信した識別情報を受信する。オブジェクト情報送信部３０３は、識別情報受信部３０１が受信した識別情報と対応するオブジェクト情報を、不揮発性メモリであるオブジェクト情報格納部３０２から取得し、移動情報処理端末２００に送信する。
【０１４７】
移動情報処理端末２００のオブジェクト情報受信部２１０は、オブジェクト情報管理サーバ３００のオブジェクト情報送信部３０３が送信したオブジェクト情報を受信し、オブジェクト情報制御部２０２に入力する。オブジェクト情報制御部２０２は、オブジェクト情報受信部２１０が受信したオブジェクト情報を嗜好情報管理部２０４に入力する。また、履歴情報記録部２０３は、情報着信部２０１が識別情報を受信する度に、その履歴を記録するとともに、この履歴情報を嗜好情報管理部２０４に入力する。
【０１４８】
嗜好情報管理部２０４は、入力されたオブジェクト情報と履歴情報を用いて、嗜好情報を生成し、不揮発性メモリである嗜好情報格納部２０５に格納する。ただし、嗜好情報格納部２０５にこの嗜好情報が対応するオブジェクトの嗜好情報が既に記憶されていた場合は、その嗜好情報を更新する。嗜好レベル算出部２０６は、嗜好情報管理部２０４が嗜好情報を生成・更新する際に、その嗜好情報に含まれる嗜好レベルの算出を行う。
【０１４９】
履歴情報記録部２０３が、履歴情報をオブジェクト情報の受信ごとに記録する場合、履歴情報の最大数が予め設定され、閾値格納部２１１に記憶されている。閾値格納部２１１は、不揮発性メモリに実装される。閾値設定部２１２は、閾値格納部２１１に格納された閾値の更新を行う。
【０１５０】
例えば、受信時間をＸ、受信間隔をＹ、受信頻度をＺとした時に、履歴最大数Ｎを次式（３）のように指定することによって、より嗜好レベルの高い情報ほど履歴を多く保持できるように設定することが可能となる。ここでｋｘ、ｋｙ、ｋｚは非負の係数である。
【０１５１】
【数３】
2006059067.tif 000005
【０１５２】
図２５は、本実施の形態に係る嗜好情報管理システムの利用例である。
【０１５３】
本実施の形態では、移動情報処理端末２００は、ＲＦＩＤ１００からオブジェクト情報を直接取得するのではなく、識別情報を取得し、この識別情報を用いてオブジェクト情報を間接的に取得する。識別情報とは、オブジェクトを一意的に識別する情報のことであり、例えば各オブジェクトに割り振られたＩＤ番号等を用いることができる。移動情報処理端末２００は、インターネット等の公共ネットワークに接続されているオブジェクト情報管理サーバ３００から、そのＩＤ番号を検索キーとしてオブジェクト情報を取得する。
【０１５４】
この場合に、オブジェクト情報管理サーバ３００が複数ある場合、どのサーバに問い合わせればよいかを指定するために、ＵＲＬ（Ｕｎｉｆｏｒｍ  Ｒｅｓｏｕｒｃｅ  Ｌｏｃａｔｅｒ）等で表現したオブジェクト情報管理サーバを指定する情報をＲＦＩＤ１００から送信される識別情報に含めたり、ＩＤ番号等の代わりにＵＲＩ（Ｕｎｉｆｏｒｍ  Ｒｅｓｏｕｒｃｅ  Ｉｄｅｎｔｉｆｉｅｒ）等でオブジェクト情報のネットワーク上における存在位置を表す情報を使用したりしてもよい。
【０１５５】
例えば、図２６は、ＸＭＬで記述された識別情報の一例であり、この例では、ルートタグ直下にｉｄタグでオブジェクトの識別情報を記述している。この場合には、このＵＲＬにアクセスすることで特定のオブジェクトのメタ情報を記述したファイル１４ｄ６８ｆ４５ｂａｄ３００１ａ．ｘｍｌを取得することが可能となっている。このファイルには例えば、図５のようなメタ情報が記述されている。
【０１５６】
書籍に付加されているＲＦＩＤ１００が、例えば「桜餅の情報学」という書籍に関する図２６の識別情報を発信するとする。ＲＦＩＤ１００は、その通信可能範囲に移動情報処理端末２００が入ると、移動情報処理端末２００に対して、この識別情報を発信する。
【０１５７】
その識別情報を受信した移動情報処理端末２００は、識別情報の解析を行い、中に記述されているＵＲＬのｈｔｔｐ：／／ｗｗｗ．ｓａｋｕｒａｍｏｃｈｉ−ｐｕｂｌｉｓｈｉｎｇ．ｘｙｚ／ｉｄ−ｍｅｔａ／１４ｄ６８ｆ４５ｂａｄ３００１ａ．ｘｍｌを取得する。
【０１５８】
次に、移動情報処理端末２００は、取得したＵＲＬを基にオブジェクトのメタ情報を取得するため、インターネットを介して、ＵＲＬの指定先であるオブジェクト情報管理サーバ３００にアクセスし、メタ情報を取得する。
【０１５９】
このように、本実施の形態では、ＲＦＩＤ１００がオブジェクトのメタ情報を保持せず、オブジェクト情報管理サーバ３００が一括して管理するため、大量のオブジェクトに関するメタ情報の更新が必要でも手間がかからない等の効果がある。また、ＲＦＩＤ１００のメモリに書き込まなければならないデータ量を抑制することも可能である。
【０１６０】
また、本実施の形態では、閾値を設定することによって履歴情報のデータ量を制限し、データが無限に増大することを抑制することができる。
【０１６１】
実施の形態４．
実施の形態１から３では、オブジェクト情報発信装置が各オブジェクトに付加されていた。一方、本実施の形態では、オブジェクト情報発信装置は、例えば全地球測位システム（ＧＰＳ）衛星であり、各オブジェクトには付加されず、情報管理装置に対して位置情報又は位置情報に相当する情報を提供する。情報管理装置は、その位置情報に基づいて、自分の周辺にどのようなオブジェクトが位置しているか知ることができる。
【０１６２】
図２７は、本実施の形態に係る嗜好情報管理システムの構成を示すブロック図である。
【０１６３】
ＧＰＳ衛星１５０は、オブジェクト情報発信装置の一例であり、情報発信部１５１を有する。
【０１６４】
移動情報処理端末２００は、情報管理装置の一例であり、情報着信部２５１、オブジェクト情報制御部２０２、履歴情報記録部２０３、嗜好情報管理部２０４、嗜好レベル算出部２０６、オブジェクト情報格納部２１３、位置情報格納部２１４、データ送信部２１５、データ受信部２１６から構成される。
【０１６５】
嗜好情報管理サーバ４００は、嗜好情報格納装置の一例であり、嗜好情報受信部４０１、嗜好情報格納部４０２、嗜好情報送信部４０３から構成される。
【０１６６】
移動情報処理端末２００と嗜好情報管理サーバ４００は、例えばインターネットに接続され、お互いに通信を行うことができる。
【０１６７】
ＧＰＳ衛星１５０の情報発信部１５１は、位置情報を移動情報処理端末２００に送信する。ここで、位置情報とは、移動情報処理端末２００の現在地を直接示す情報でもよいし、移動情報処理端末２００が現在地を測定するために必要な情報でもよい。
【０１６８】
移動情報処理端末２００の情報着信部２５１は、ＧＰＳ受信機又はＧＰＳ受信機の一部に実装され、ＧＰＳ衛星１５０の情報発信部１５１が送信した位置情報を受信する。オブジェクト情報制御部２０２は、情報着信部２５１が受信した位置情報を、不揮発性メモリである位置情報格納部２１４から取得した地図情報と照らし合わせ、現在地周辺に位置するオブジェクトを割り出す。そして、これらのオブジェクトに対応するオブジェクト情報を、不揮発性メモリであるオブジェクト情報格納部２１３から取得する。
【０１６９】
オブジェクト情報制御部２０２は、取得したオブジェクト情報を嗜好情報管理部２０４に入力する。また、履歴情報記録部２０３は、情報着信部２５１が位置情報を受信する度に、その履歴を記録するとともに、この履歴情報を嗜好情報管理部２０４に入力する。
【０１７０】
嗜好情報管理部２０４は、入力されたオブジェクト情報と履歴情報を用いて、嗜好情報を生成し、データ送信部２１５に入力する。データ送信部２１５は、入力された嗜好情報を嗜好情報管理サーバ４００に送信する。
【０１７１】
嗜好情報管理サーバ４００の嗜好情報受信部４０１は、移動情報処理端末２００のデータ送信部２１５が送信した嗜好情報を、不揮発性メモリである嗜好情報格納部４０２に格納する。ただし、嗜好情報格納部４０２にこの嗜好情報が対応するオブジェクトの嗜好情報が既に記憶されていた場合は、その嗜好情報を更新する。この場合、嗜好情報送信部４０３は、嗜好情報格納部４０２に記憶された嗜好情報を予め移動情報処理端末２００に送信している。この嗜好情報は、移動情報処理端末２００のデータ受信部２１６により受信され、嗜好情報管理部２０４が嗜好情報の更新処理を行う際に利用される。嗜好レベル算出部２０６は、嗜好情報管理部２０４が嗜好情報を生成・更新する際に、その嗜好情報に含まれる嗜好レベルの算出を行う。
【０１７２】
本実施の形態では、ＧＰＳ衛星１５０をオブジェクト情報発信装置として捉え、移動情報処理端末２００が存在する場所で受信しているＧＰＳの電波より、現在位置をオブジェクトメタ情報として用いている。この場合には、直接ＧＰＳ衛星１５０がオブジェクトそのものに付加されているわけではないが、移動情報処理端末２００がＧＰＳの電波を受信した場合には、現在位置する絶対位置情報を取得することができ、その絶対位置情報と地図情報と照らし合わせることによって、現在移動情報処理端末２００が、例えばショッピングセンターや公共施設といった比較的広範囲に広がるオブジェクトに接近していることを判別できるようになる。
【０１７３】
また、本実施の形態では、オブジェクト情報発信装置をオブジェクトに付加しないため、オブジェクト情報発信装置を様々なオブジェクトに付加する手間を省くことができる。
【０１７４】
本実施の形態では、嗜好情報を格納するために嗜好情報管理サーバ４００を用いたが、代わりに、移動情報処理端末２００が実施の形態１と同様な嗜好情報格納部２０５を有していてもよい。
【０１７５】
実施の形態５．
本実施の形態では、実施の形態４と同様にＧＰＳを利用する。
【０１７６】
絶対位置情報から具体的なオブジェクトを判別する方法は、実施の形態４のように地図情報が移動情報処理端末に存在すれば、移動情報処理端末内で処理を実施してもよい。一方、移動情報処理端末がインターネット等の公共ネットワークに接続し、通信機能を保持している場合には、例えば、絶対位置をキーとして検索要求を出すと、具体的なオブジェクト情報を返してくれる位置情報格納装置が場合には、その位置情報管理サーバにネットワークを介して問い合わせを行ってオブジェクト情報を取得してもよい。
【０１７７】
図２８は、本実施の形態に係る嗜好情報管理システムの構成を示すブロック図である。
【０１７８】
ＧＰＳ衛星１５０は、オブジェクト情報発信装置の一例であり、情報発信部１５１を有する。
【０１７９】
移動情報処理端末２００は、情報管理装置の一例であり、情報着信部２５１、オブジェクト情報制御部２０２、履歴情報記録部２０３、嗜好情報管理部２０４、嗜好情報格納部２０５、嗜好レベル算出部２０６、位置情報送信部２１７、オブジェクト情報受信部２１０から構成される。
【０１８０】
位置情報管理サーバ５００は、位置情報格納装置の一例であり、位置情報受信部５０１、オブジェクト情報格納部５０２、位置情報格納部５０３、オブジェクト情報送信部５０４から構成される。
【０１８１】
移動情報処理端末２００と位置情報管理サーバ５００は、例えばインターネットに接続され、お互いに通信を行うことができる。
【０１８２】
ＧＰＳ衛星１５０の情報発信部１５１は、位置情報を移動情報処理端末２００に送信する。ここで、位置情報とは、移動情報処理端末２００の現在地を直接示す情報でもよいし、移動情報処理端末２００が現在地を測定するために必要な情報でもよい。
【０１８３】
移動情報処理端末２００の情報着信部２５１は、ＧＰＳ受信機又はＧＰＳ受信機の一部に実装され、ＧＰＳ衛星１５０の情報発信部１５１が送信した位置情報を受信する。オブジェクト情報制御部２０２は、情報着信部２５１が受信した位置情報を、位置情報送信部２１７に入力する。位置情報送信部２１７は、入力された位置情報を位置情報管理サーバ５００に送信する。
【０１８４】
位置情報管理サーバ５００の位置情報受信部５０１は、移動情報処理端末２００の位置情報送信部２１７が送信した位置情報を受信し、不揮発性メモリである位置情報格納部５０３から取得した地図情報と照らし合わせ、現在地周辺に位置するオブジェクトを割り出す。オブジェクト情報送信部５０４は、これらのオブジェクトに対応するオブジェクト情報を、不揮発性メモリであるオブジェクト情報格納部５０２から取得し、移動情報処理端末２００に送信する。
【０１８５】
移動情報処理端末２００のオブジェクト情報受信部２１０は、位置情報管理サーバ５００のオブジェクト情報送信部５０４が送信したオブジェクト情報を受信し、オブジェクト情報制御部２０２に入力する。オブジェクト情報制御部２０２は、オブジェクト情報受信部２１０が受信したオブジェクト情報を嗜好情報管理部２０４に入力する。また、履歴情報記録部２０３は、情報着信部２０１が識別情報を受信する度に、その履歴を記録するとともに、この履歴情報を嗜好情報管理部２０４に入力する。
【０１８６】
嗜好情報管理部２０４は、入力されたオブジェクト情報と履歴情報を用いて、嗜好情報を生成し、不揮発性メモリである嗜好情報格納部２０５に格納する。ただし、嗜好情報格納部２０５にこの嗜好情報が対応するオブジェクトの嗜好情報が既に記憶されていた場合は、その嗜好情報を更新する。嗜好レベル算出部２０６は、嗜好情報管理部２０４が嗜好情報を生成・更新する際に、その嗜好情報に含まれる嗜好レベルの算出を行う。
【０１８７】
図２９は、本実施の形態に係る嗜好情報管理システムの利用例である。
【０１８８】
２４個のＧＰＳ衛星１５０は、地球上を回っており、常時電波を発信している。その電波には電波を発信した時点での正確な時間と位置に関する情報が含まれており、この電波を移動情報処理端末２００は最低３個、標準で４個の衛星からの電波を受信し利用することによって、現在位置が分かる。しかし、この時点で分かっていることは現在位置の絶対位置情報のみであり、その場所がどのような場所であるかについての情報は一切ない。
【０１８９】
そこでインターネットに接続されている位置情報管理サーバ５００に絶対位置情報をキーとして対応する場所のメタ情報を要求し、その近辺のメタ情報を取得する。
【０１９０】
本実施の形態では、移動情報処理端末２００が地図情報やオブジェクト情報を保持する必要がないため、実施の形態４と比較して、移動情報処理端末２００の小型化が容易になる。
【０１９１】
前述した各実施の形態で、移動情報処理端末２００、オブジェクト情報管理サーバ３００、嗜好情報管理サーバ４００、位置情報管理サーバ５００は、コンピュータで実現できるものである。
図示していないが、移動情報処理端末２００、オブジェクト情報管理サーバ３００、嗜好情報管理サーバ４００、位置情報管理サーバ５００は、プログラムを実行するＣＰＵ（Ｃｅｎｔｒａｌ  Ｐｒｏｃｅｓｓｉｎｇ  Ｕｎｉｔ）を備えている。
【０１９２】
例えば、ＣＰＵは、バスを介して、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信ボード、表示装置、Ｋ／Ｂ（キーボード）、マウス、ＦＤＤ（Ｆｌｅｘｉｂｌｅ  Ｄｉｓｋ  Ｄｒｉｖｅ）、ＣＤＤ（コンパクトディスクドライブ）、磁気ディスク装置、光ディスク装置、プリンタ装置、スキャナ装置等と接続されている。
ＲＡＭは、揮発性メモリの一例である。ＲＯＭ、ＦＤＤ、ＣＤＤ、磁気ディスク装置、光ディスク装置は、不揮発性メモリの一例である。これらは、記憶装置あるいは記憶部の一例である。
前述した各実施の形態の移動情報処理端末２００、オブジェクト情報管理サーバ３００、嗜好情報管理サーバ４００、位置情報管理サーバ５００が扱うデータや情報は、記憶装置あるいは記憶部に保存され、移動情報処理端末２００、オブジェクト情報管理サーバ３００、嗜好情報管理サーバ４００、位置情報管理サーバ５００の各部により、記録され読み出されるものである。
【０１９３】
また、通信ボードは、例えば、ＬＡＮ、インターネット、或いはＩＳＤＮ等のＷＡＮ（ワイドエリアネットワーク）に接続されている。
【０１９４】
磁気ディスク装置には、オペレーティングシステム（ＯＳ）、ウィンドウシステム、プログラム群、ファイル群（データベース）が記憶されている。
プログラム群は、ＣＰＵ、ＯＳ、ウィンドウシステムにより実行される。
【０１９５】
上記移動情報処理端末２００、オブジェクト情報管理サーバ３００、嗜好情報管理サーバ４００、位置情報管理サーバ５００の各部は、一部或いはすべてコンピュータで動作可能なプログラムにより構成しても構わない。或いは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
【０１９６】
上記プログラム群には、実施の形態の説明において「〜部」として説明した処理をＣＰＵに実行させるプログラムが記憶される。これらのプログラムは、例えば、Ｃ言語やＨＴＭＬやＳＧＭＬやＸＭＬなどのコンピュータ言語により作成される。
【０１９７】
また、上記プログラムは、磁気ディスク装置、ＦＤ（Ｆｌｅｘｉｂｌｅ  Ｄｉｓｋ）、光ディスク、ＣＤ、ＭＤ（ミニディスク）、ＤＶＤ等のその他の記録媒体に記憶され、ＣＰＵにより読み出され実行される。
【０１９８】
上記のように、実施の形態１から５で説明した嗜好情報管理方法は、
オブジェクトに移動情報処理端末が接近する事によって、そのオブジェクトに関するオブジェクトメタ情報を含むオブジェクト情報を受信する事が出来るオブジェクト情報発信装置と、前記移動情報処理端末は前記オブジェクト情報発信装置から送信された前記オブジェクト情報を受信するオブジェクト情報受信部を備え、それら一つ以上のオブジェクト情報発信装置と、一つ以上の移動情報処理端末から構成されるネットワークを用いて、
前記移動情報処理端末があるオブジェクト情報の受信回数を計測するステップと、
受信したオブジェクト情報のもつオブジェクトメタ情報に関連する嗜好情報を、総受信回数を用いて生成または既に存在するオブジェクトメタ情報に関連する嗜好情報を更新するステップと、
生成または更新した嗜好情報を嗜好情報格納部に格納するステップとを備え、
前記嗜好情報が少なくともオブジェクトメタ情報およびオブジェクトメタ情報の総受信回数を含む事を特徴とする。
【０１９９】
また、オブジェクト情報発信装置が発信する情報が絶対位置情報（ＧＰＳ）である場合、
移動情報処理端末は、絶対位置情報から近傍にあるオブジェクトのオブジェクト情報を返す位置情報サーバへアクセスし、絶対位置情報をパラメータとしてオブジェクト情報を要求するステップと、
取得したオブジェクト情報をオブジェクト情報発信装置が発信したオブジェクト情報とするステップを持つ事を特徴とする。
【０２００】
また、オブジェクトから前記オブジェクトに付加されたオブジェクト情報発信装置がそのオブジェクトに関するオブジェクトメタ情報をもつオブジェクト情報を近傍に存在する移動情報処理端末に対して送信し、前記移動情報処理端末は前記オブジェクト情報発信装置から送信された前記オブジェクト情報を受信するオブジェクト情報受信部を備え、それら一つ以上のオブジェクト情報発信装置と一つ以上の移動情報処理端末から構成されるネットワークを用いて、
前記移動情報処理端末があるオブジェクト情報の受信開始から、オブジェクト情報発信装置との通信が遮断されるまでの受信時間を計測するステップと、
受信したオブジェクト情報のもつオブジェクトメタ情報に関連する嗜好情報を、受信時間を用いて生成または既に存在するオブジェクトメタ情報に関連する嗜好情報を更新するステップと、
生成または更新した嗜好情報を嗜好情報格納部に格納するステップとを備え、
前記嗜好情報がオブジェクトメタ情報とそのオブジェクトメタ情報の総受信時間を含む事を特徴とする。
【０２０１】
また、オブジェクトに付加されたオブジェクト情報発信装置が送信するオブジェクト情報はそのオブジェクトを一意に識別するＩＤ番号であり、
オブジェクト情報を受信した移動情報処理端末は、そのＩＤ番号からオブジェクトメタ情報を取得する為に、インターネット等の公共ネットワークに接続されているオブジェクトメタ情報サーバに問い合わせて、オブジェクトメタ情報を取得する事を特徴とする。
【０２０２】
また、嗜好情報格納部が移動情報処理端末外部に存在する嗜好情報格納サーバに存在する事を特徴とする。
【０２０３】
また、前記総受信時間を受信時間の履歴として処理し、
嗜好情報がオブジェクトメタ情報および受信時間の履歴を含む事を特徴とする。
【０２０４】
また、受信時間を、受信開始時間と通信遮断時間として処理し、
嗜好情報がオブジェクトメタ情報および受信開始時間と通信遮断時間の履歴を含む事を特徴とする。
【０２０５】
また、嗜好情報がオブジェクトメタ情報および平均受信時間および受信回数を含む事を特徴とする。
【０２０６】
また、嗜好情報がオブジェクトメタ情報および平均受信時間および受信回数および受信時間の分散を含む事を特徴とする。
【０２０７】
また、受信間隔（前回受信した時刻と今回受信した時刻の差もしくは、この二つの組）を算出し、
嗜好情報が受信間隔の履歴および、オブジェクトメタ情報を含む事を特徴とする。
【０２０８】
また、受信間隔（前回受信した時刻と今回受信した時刻の差）を算出し、
嗜好情報がオブジェクトメタ情報および、平均受信間隔および受信回数および最後にオブジェクトメタ情報を受信した時刻を含む事を特徴とする。
【０２０９】
また、嗜好情報がオブジェクトメタ情報および平均受信間隔および受信回数および受信間隔の分散および最後にオブジェクトメタ情報を受信した時刻を含む事を特徴とする。
【０２１０】
また、受信頻度（ある一定期間の間に同一オブジェクトメタ情報を受信した回数）を算出し、
嗜好情報がオブジェクトメタ情報および、受信頻度の履歴を含む事を特徴とする。
【０２１１】
また、嗜好情報がオブジェクトメタ情報および、受信頻度と計測期間の組の履歴を含む事を特徴とする。
【０２１２】
また、嗜好情報がオブジェクトメタ情報および、受信頻度の履歴および計測期間を含む事を特徴とする。
【０２１３】
また、嗜好情報がオブジェクトメタ情報および、平均受信頻度および受信回数を含む事を特徴とする。
【０２１４】
また、嗜好情報がオブジェクトメタ情報および、平均受信頻度および受信回数および計測期間を含む事を特徴とする。
【０２１５】
また、嗜好情報がオブジェクトメタ情報および、平均受信頻度および受信回数および受信頻度の分散を含む事を特徴とする。
【０２１６】
また、嗜好情報がオブジェクトメタ情報および、平均受信頻度および受信回数および受信頻度の分散および計測期間を含む事を特徴とする。
【０２１７】
また、履歴の個数が一定数を超えた場合には、一番古い履歴情報を削除するステップを備える事を特徴とする。
【０２１８】
また、嗜好情報が最大履歴数を含む事を特徴とする。
【０２１９】
また、受信時間計測処理部が計測した受信時間、受信間隔、受信頻度、それぞれの平均、履歴情報、分散から嗜好レベルを算出する嗜好レベル算出ステップを備え、
嗜好情報が嗜好レベルとオブジェクトメタ情報を含む事を特徴とする。
【図面の簡単な説明】
【０２２０】
【図１】実施の形態１に係る嗜好情報管理システムの構成を示すブロック図。
【図２】移動情報処理端末の動作を示すフロー図。
【図３】実施の形態１に係る嗜好情報管理システムの利用例を示す概念図。
【図４】メタ情報の項目とＩＤの組み合わせの例。
【図５】ＩＤを利用したメタ情報の例。
【図６】ＸＭＬで記述されたメタ情報の例。
【図７】ＲＦＩＤと移動情報処理端末との間の通信が不可能な状態を示す概念図。
【図８】ＲＦＩＤと移動情報処理端末との間の通信が可能な状態を示す概念図。
【図９】アクティブ型ＲＦＩＤがオブジェクト情報を発信した瞬間の通信状況を示す概念図。
【図１０】パッシブ型ＲＦＩＤが情報管理装置の起動信号の通信可能範囲外にある状態を示す概念図。
【図１１】パッシブ型ＲＦＩＤが情報管理装置の起動信号の通信可能範囲内にある状態を示す概念図。
【図１２】パッシブ型ＲＦＩＤがオブジェクト情報を発信した瞬間の通信状況を示す概念図。
【図１３】ＲＦＩＤと移動情報処理端末との間の距離の時間的な変化を示すグラフ。
【図１４】移動情報処理端末がオブジェクト情報の受信時間の計測処理を行う動作を示すフロー図。
【図１５】図１４のＳ１４０２の処理が完了した時点での受信中オブジェクト情報リスト及び現在受信オブジェクト情報リストの例。
【図１６】図１４のＳ１４０４の処理が完了した時点での受信中オブジェクト情報リスト及び現在受信オブジェクト情報リストの例。
【図１７】図１４のＳ１４０６の処理が完了した時点での受信中オブジェクト情報リスト及び現在受信オブジェクト情報リストの例。
【図１８】嗜好情報管理部が嗜好情報の生成・更新処理を行う動作を示すフロー図。
【図１９】図１８のＳ１８０１の処理が開始する前の嗜好情報リストの例。
【図２０】図１８のＳ１８０５の処理が完了した時点での嗜好情報リストの例。
【図２１】図１８のＳ１８０８の処理が完了した時点での嗜好情報リストの例。
【図２２】図１８のＳ１８１０の処理が完了した時点での嗜好情報リストの例。
【図２３】実施の形態２に係る嗜好情報管理システムの構成を示すブロック図。
【図２４】実施の形態３に係る嗜好情報管理システムの構成を示すブロック図。
【図２５】実施の形態３に係る嗜好情報管理システムの利用例を示す概念図。
【図２６】ＸＭＬで記述された識別情報の例。
【図２７】実施の形態４に係る嗜好情報管理システムの構成を示すブロック図。
【図２８】実施の形態５に係る嗜好情報管理システムの構成を示すブロック図。
【図２９】実施の形態５に係る嗜好情報管理システムの利用例を示す概念図。
【符号の説明】
【０２２１】
１００  ＲＦＩＤ、１０１  情報発信部、１０２  オブジェクト情報格納部、１０３  書籍、１０４  食料品、１０５  オフィス、１０６  店、１０７  識別情報格納部、１５０  ＧＰＳ衛星、１５１  情報発信部、２００  移動情報処理端末、２０１  情報着信部、２０２  オブジェクト情報制御部、２０３  履歴情報記録部、２０４  嗜好情報管理部、２０５  嗜好情報格納部、２０６  嗜好レベル算出部、２０７  計測期間格納部、２０８  計測期間設定部、２０９  識別情報送信部、２１０  オブジェクト情報受信部、２１１  閾値格納部、２１２  閾値設定部、２１３  オブジェクト情報格納部、２１４  位置情報格納部、２１５  データ送信部、２１６  データ受信部、２１７  位置情報送信部、２５１  情報着信部、３００  オブジェクト情報管理サーバ、３０１  識別情報受信部、３０２  オブジェクト情報格納部、３０３  オブジェクト情報送信部、４００  嗜好情報管理サーバ、４０１  嗜好情報受信部、４０２  嗜好情報格納部、４０３  嗜好情報送信部、５００  位置情報管理サーバ、５０１  位置情報受信部、５０２  オブジェクト情報格納部、５０３  位置情報格納部、５０４  オブジェクト情報送信部。
【図１】
2006059067.tif 000006
【図２】
2006059067.tif 000007
【図３】
2006059067.tif 000008
【図４】
2006059067.tif 000009
【図５】
2006059067.tif 000010
【図６】
2006059067.tif 000011
【図７】
2006059067.tif 000012
【図８】
2006059067.tif 000013
【図９】
2006059067.tif 000014
【図１０】
2006059067.tif 000015
【図１１】
2006059067.tif 000016
【図１２】
2006059067.tif 000017
【図１３】
2006059067.tif 000018
【図１４】
2006059067.tif 000019
【図１５】
2006059067.tif 000020
【図１６】
2006059067.tif 000021
【図１７】
2006059067.tif 000022
【図１８】
2006059067.tif 000023
【図１９】
2006059067.tif 000024
【図２０】
2006059067.tif 000025
【図２１】
2006059067.tif 000026
【図２２】
2006059067.tif 000027
【図２３】
2006059067.tif 000028
【図２４】
2006059067.tif 000029
【図２５】
2006059067.tif 000030
【図２６】
2006059067.tif 000031
【図２７】
2006059067.tif 000032
【図２８】
2006059067.tif 000033
【図２９】
2006059067.tif 000034